(57)【特許請求の範囲】
【請求項１】
複数の生体情報送信装置と、複数の記憶装置と、を含む生体情報送信システムであって、
前記複数の記憶装置はそれぞれ、
無線チャネルを指定するデータを記憶し、
前記複数の生体情報送信装置はそれぞれ、
１つの記憶装置を取り外し可能に装着する装着部と、
前記複数の記憶装置のうち前記装着部に装着された記憶装置において指定された無線チャネルを使用して生体情報送信を行う無線送信部と、を有し、
前記無線送信部は、前記装着部に前記記憶装置が装着されている場合には、生体情報送信が可能であり、前記装着部に前記記憶装置が装着されていない場合には、生体情報送信が不可能であり、
前記複数の記憶装置は、互いに異なる無線チャネルを指定するデータを記憶する、
生体情報送信システム。
【請求項２】
前記無線送信部は、前記装着部に装着する記憶装置が、第一の無線チャネルを指定するデータの記憶装置から第二の無線チャネルを指定するデータの記憶装置に交換されると、生体情報送信に使用する無線チャネルを、前記第一の無線チャネルから前記第二の無線チャネルに変更する、請求項１記載の生体情報送信システム。
【請求項３】
前記装着部に前記記憶装置が装着されると、指定された無線チャネルを生体情報送信に使用可能な無線チャネルとして設定し、前記装着部から前記記憶装置が取り外されると、使用可能な無線チャネルの設定を解除する制御部を有する、請求項１記載の生体情報送信システム。
【請求項４】
前記装着部は、前記記憶装置の装着中、前記生体情報送信装置の外部から見えるよう前記記憶装置の本体を保持する、請求項１記載の生体情報送信システム。
【請求項５】
前記複数の記憶装置はそれぞれ、前記生体情報送信装置に装着されたときに前記生体情報送信装置の外部から見える前記本体の一部分に、前記無線チャネルの指定情報を表示する表示部を有する、
請求項４記載の生体情報送信システム。
【請求項６】
前記複数の生体情報送信装置は医用テレメータ送信機である、
請求項１記載の生体情報送信システム。
【請求項７】
前記複数の生体情報送信装置はベッドサイドモニタである、
請求項１記載の生体情報送信システム。
【発明の詳細な説明】
【技術分野】
【０００１】
本発明は、生体情報を無線送信する生体情報送信装置を含む生体情報送信システムに関する。
【背景技術】
【０００２】
生体情報送信装置の代表的なものに、医用テレメータ送信機（以下、単に「テレメータ」ともいう）がある。テレメータは、例えば心電図や心拍数、ＳｐＯ２（酸素飽和度）のような生体情報を患者に取り付けた電極やセンサから取得し、取得した生体情報を、ナースステーション等に設置されたセントラルモニタにリアルタイムで無線送信することができる、比較的小型で患者が携帯可能な装置である（例えば特許文献１参照）。
【０００３】
一般に、個々のテレメータには専用の無線チャネル（以下、単に「チャネル」ともいう）が予め割り当てられている。典型的には、チャネルは周波数である。多数のテレメータを使用する病院の無線管理者は、各テレメータに割り当てられたチャネルや、現在使用中のチャネル、病院内の各エリア（例えば病棟、フロア等）で使用可能なチャネル等を管理する。
【０００４】
テレメータへのチャネル割り当ては、テレメータの本体に内蔵されたメモリに、チャネルを指定する情報、例えばチャネル番号を書き込むことによってなされる。テレメータは、書き込まれたチャネル番号により特定されるチャネルを用いて無線送信を行うことができる。セントラルモニタは、受信した無線信号のチャネルに基づいて、無線信号に重畳された生体情報がどのテレメータから送信されたか（あるいはどの患者に関連するものか）を判別することができる。
【特許文献１】特開２００２−１９１５６５号公報
【発明の開示】
【発明が解決しようとする課題】
【０００５】
しかしながら、上記のように予め専用のチャネル番号が内蔵メモリに書き込まれたテレメータにおいては、無線チャネル管理の面で不都合が生じることがある。
【０００６】
例えば、ある患者が使用しているテレメータが故障すると、代替機が病院内に持ち込まれる。その際、患者と周波数との対応関係を変えないようにするために、代替機には、故障したテレメータと同じチャネル番号が書き込まれる。しかしその結果、あるチャネルを割り当てられるテレメータは本来一個だけであるにもかかわらず、同じチャネルを割り当てられたテレメータが同時に二個存在することになる。つまり、通常は、単にテレメータの本体の使用／不使用を管理するだけでテレメータのチャネルの使用／不使用を管理することができても、場合によってはそれができなくなる。
【０００７】
また、テレメータの保管手法に起因する不都合もある。通常、使用されていないテレメータはひとまとめにして保管されている。これらのテレメータを無造作に保管していると、特定のチャネルを割り当てられたテレメータを見つけたいときに見つけにくい。これに対する一つの解決策として、全ての不使用テレメータをチャネル番号順（周波数順）に並べて保管することが考えられる。この手法を実施すれば、保管されているテレメータへのアクセスを容易にすることはできる。しかし、そのような保管手法は、広い保管場所を必要とすることになるため、実際に実施することは困難である。
【０００８】
本発明は、かかる点に鑑みてなされたもので、無線チャネル管理の容易性を向上することができる生体情報送信システムを提供することを目的とする。
【課題を解決するための手段】
【０００９】
本発明の生体情報送信システムは、
複数の生体情報送信装置と、複数の記憶装置と、を含む生体情報送信システムであって、
前記複数の記憶装置はそれぞれ、
無線チャネルを指定するデータを記憶し、
前記複数の生体情報送信装置はそれぞれ、
１つの記憶装置を取り外し可能に装着する装着部と、
前記複数の記憶装置のうち前記装着部に装着された記憶装置において指定された無線チャネルを使用して生体情報送信を行う無線送信部と、を有し、
前記無線送信部は、前記装着部に前記記憶装置が装着されている場合には、生体情報送信が可能であり、前記装着部に前記記憶装置が装着されていない場合には、生体情報送信が不可能であり、
前記複数の記憶装置は、互いに異なる無線チャネルを指定するデータを記憶する、
構成を採る。
【発明の効果】
【００１１】
本発明によれば、無線チャネル管理の容易性を向上することができる。
【発明を実施するための最良の形態】
【００１２】
以下、本発明の実施の形態について、図面を用いて詳細に説明する。
【００１３】
図１は、本発明の一実施の形態に係る生体情報送信装置としての医用テレメータ送信機、及び本発明の一実施の形態に係る記憶装置としてのチャネルデータ銘板を示す図である。また、図２（ａ）は図１のチャネルデータ銘板の表面側から見た斜視図であり、図２（ｂ）は図１のチャネルデータ銘板の裏面側から見た斜視図である。
【００１４】
図１に示すように、医用テレメータ送信機１０の本体を成す筐体１２には、ホルダ１４がチャネルデータ銘板（以下、単に「銘板」という）２０の装着部として設けられている。銘板２０の裏面２４をホルダ１４の接触面に対向させ、銘板２０をホルダ１４上で図中の矢印方向に摺動させると、銘板２０がホルダ１４に装着され、図中の矢印と逆の方向に摺動させると、銘板２０がホルダ１４から取り外される。
【００１５】
テレメータ１０に銘板２０を装着したときに対向するそれぞれの部分には、接点部１６、２６が設けられている。銘板２０の内部の記憶領域（図示せず）には、チャネルの指定情報としてのチャネル番号がディジタルデータとして記憶されており、そのディジタルデータは、テレメータ１０に銘板２０が装着されたときに電気的に接続し得る接点部１６、２６を介してテレメータ１０側に読み取られる。なお、本実施の形態では、チャネル番号の読み取りが接触式の端子（接点部１６、２６）を介して行われる場合を例にとっているが、非接触式の読み取り機構を代用することもできる。
【００１６】
個々の銘板２０の記憶領域には、異なるチャネル番号が書き込まれているため、各銘板２０に対応するチャネルを判りやすくするために、銘板２０の表面２２には、チャネル番号及び使用場所（病棟及びフロア）が表示されている。この表示部分は、銘板２０がテレメータ１０に装着されたときに露出され、テレメータ１０の本体１２の外部から見えるようになっている。これにより、銘板２０の内部に記憶されたチャネルを判りやすくすることができ、銘板２０及びそれを装着したテレメータ１０の、誤った場所での使用を防止することができる。また、銘板２０を、周波数のゾーン（病棟やフロア等のエリア毎に指定された使用可能周波数のグループ）毎に異なる色で塗ることにより、銘板２０及びそれを装着したテレメータ１０の使用場所を一層判りやすくすることができる。
【００１７】
図３は、テレメータ１０の内部構成を示すブロック図である。テレメータ１０は、測定部１０２、装着部１０４、制御部１０６、無線送信部１０８及びアンテナ１１０を有する。
【００１８】
測定部１０２は、例えば心電図や心拍数、ＳｐＯ２（酸素飽和度）のような生体現象を表す電気信号を、患者に取り付けた電極やセンサから取得し、この信号に対して増幅等の信号処理を施すことによって生体情報を取得して、取得した生体情報を無線送信部１０８に出力する。
【００１９】
装着部１０４は、テレメータ１０の本体に設けられ、装着部１０４には銘板２０が装着される。装着部１０４の一例は、図１に示したホルダ１４である。
【００２０】
制御部１０６は、後述の機能を実現するプログラムを記憶するメモリ及びそのプログラムを実行するＣＰＵ（Central Processing Unit）を含む制御回路であり、図１に示した接点部１６と電気的に接続している。
【００２１】
制御部１０６は、使用可能なチャネルを設定する機能を有する。図４は、この機能の実行手順の一例を示すフロー図である。
【００２２】
まず、装着部１０４への銘板２０の装着を検知する（Ｓ１１１）。装着を検知すると、接点部１６を介して銘板２０の記憶領域にアクセスしてそこに記憶された情報を読み出す（Ｓ１１２）。記憶情報の中にチャネル番号が含まれている場合は（Ｓ１１３：ＹＥＳ）、無線送信部１０８が生体情報を送信するのに使用可能なチャネルとして、そのチャネル番号により特定されるチャネルを設定する（Ｓ１１４）。記憶情報の中にチャネル番号が含まれていない場合は（Ｓ１１３：ＮＯ）、使用可能なチャネルの設定を行わずにこの設定機能を終了する。
【００２３】
また、制御部１０６は、使用可能なチャネルの設定を解除する機能を有する。図５は、この機能の実行手順の一例を示すフロー図であり、制御部１０６は、装着部１０４からの銘板２０の取り外しを検知すると（Ｓ１２１）、前述した使用可能なチャネルの設定を解除する（Ｓ１２２）。
【００２４】
制御部１０６が上記のような設定及び設定解除の機能を有するため、テレメータ１０は、装着部１０４に有効な銘板２０（つまり、チャネル番号を指定する情報を記憶している銘板２０）が装着されたときにはじめて使用可能チャネルが確定となるため、生体情報の無線送信を行うことができる。一方、装着部１０４に有効な銘板２０が装着されていない間は使用可能チャネルが不確定となるため、生体情報の無線送信を行うことができない。
【００２５】
なお、図４及び図５を用いて説明した機能は、装着部１０４への銘板２０の装着の有無とは無関係にテレメータ１０（少なくとも無線送信部１０８を含む部分）の電源がオンになっている場合を例にとって説明したが、装着１０４への銘板２０の装着の有無と電源のオン／オフとが連動するように制御部１０６を構成してもよい。
【００２６】
また、制御部１０６が上記のような設定及び設定解除の機能を有するため、装着部１０４に装着される銘板２０が交換されると、制御部１０６は、生体情報送信に使用可能なチャネルを変更することができる。これにより、例えばある患者が使用中のテレメータ１０が故障した場合、故障したテレメータ１０に装着していた銘板２０を別のテレメータ１０に装着することができる。したがって、故障の際の代替機の準備を従来よりも早急に行うことができると共に、同じチャネルを使用可能なテレメータ１０が同時に複数存在することを回避することができ、同一チャネルでの混信や、テレメータ使用患者の取り違い等のミスを防止することができる。
【００２７】
無線送信部１０８は、測定部１０２から入力された生体情報を、アンテナ１１０を介して、制御部１０６により設定されたチャネルを用いてセントラルモニタ等の外部の機器に無線送信する。
【００２８】
以上のように、本実施の形態によれば、チャネル番号を記憶する記憶装置を、テレメータ１０とは別体であるチャネルデータ銘板２０として構成し、銘板２０の装着中のみテレメータ１０の使用可能チャネルが確定するようにしたため、銘板２０を管理するだけで無線チャネルの管理を実現することができ、無線チャネルの使用／不使用の管理と、テレメータ１０の本体の使用／不使用の管理とを切り離すことができる。また、銘板２０はテレメータ１０に比べて非常に小さいため、チャネル番号順に並べて保管する等の保管手法が容易となる。したがって、無線チャネル管理を容易にすることができる。
【００２９】
なお、本実施の形態では、本発明を医用テレメータ送信機に適用した場合を例にとって説明したが、本発明は例えばベッドサイドモニタのような他の医用機器にも適用可能である。
【００３０】
図６は、本実施の形態に係る生体情報送信装置としてのベッドサイドモニタを示す図であり、（ａ）はモニタを正面側から見た斜視図であり、（ｂ）はモニタを背面側から見た斜視図である。
【００３１】
図６において、ベッドサイドモニタ３０には、前述した医用テレメータ送信機１０の測定部１０２、制御部１０６及び無線送信機１０８と同じ機能を有するテレメータユニット３２、並びに医用テレメータ送信機１０のアンテナ１１０と同じ機能を有するテレメータアンテナ３４を内蔵している。ベッドサイドモニタ３０の背面にはスロット３６が設けられており、スロット３６には本実施の形態に係る銘板２０の装着（挿入）が可能であり、スロット３６からの銘板２０の取り外しも可能である。すなわち、スロット３６は、本実施の形態に係る生体情報送信装置の装着部の機能を有する。このように、本実施の形態の生体情報送信装置は様々な機器に適用することができる。
【００３２】
また、本実施の形態では、制御部１０６は、銘板２０の記憶領域から情報を読み取る機能を有しているが、記憶領域に情報を書き込む機能も有することができる。例えば、測定部１０２により測定された生体情報を、装着部１０４に装着された銘板２０の記憶領域に記憶させることができる。テレメータ１０を使用中の患者に何らかの事態が発生したときにその患者の生体情報を一時的に銘板２０内に記憶させるようにしてもよい。あるいは、何らかの操作をテレメータ１０に対して行ったときに生体情報を一時的に銘板２０内に記憶させるようにしてもよい。
【００３３】
また、銘板２０には、チャネル番号や生体情報以外に、患者情報（例えば、患者のＩＤ番号、生年月日、身長、体重等）を記憶させることができるようにしてもよい。これにより、病院の受付にて銘板２０に患者情報を記憶させ、それを病棟に持ち込むことにより、病棟でのセントラルモニタへの入力処理等を省力化することができる。
【００３４】
以上、本発明の実施の形態について説明した。なお、以上の説明は本発明の好適な実施の形態の例証であり、本発明の範囲はこれに限定されない。つまり、上記各装置の構成および各装置の使用時の動作についての説明は一例であり、本発明の範囲においてこれらの例に対する様々な変更や追加が可能であることは明らかである。
【図面の簡単な説明】
【００３５】
【図１】本発明の一実施の形態に係る医用テレメータ送信機及びチャネルデータ銘板を示す図
【図２】図１のチャネルデータ銘板の斜視図
【図３】本発明の一実施の形態に係る医用テレメータ送信機の内部構成のブロック図
【図４】本発明の一実施の形態に係る制御部のチャネル設定機能を示すフロー図
【図５】本発明の一実施の形態に係る制御部のチャネル設定解除機能を示すフロー図
【図６】本発明の一実施の形態に係るベッドサイドモニタの斜視図
【符号の説明】
【００３６】
１０  医用テレメータ送信機
１２  筐体
１４  ホルダ
２０  チャネルデータ銘板
２２  表面
３０  ベッドサイドモニタ
３２  テレメータユニット
３４  テレメータアンテナ
３６  スロット
１０４  装着部
１０６  制御部
１０８  無線送信部
１１０  アンテナ
【図１】
0005215602.tif 000002
【図２】
0005215602.tif 000003
【図３】
0005215602.tif 000004
【図４】
0005215602.tif 000005
【図５】
0005215602.tif 000006
【図６】
0005215602.tif 000007